【事件の表示】
　平成　３年特許願第２１５４６９号「セルラー位置標定システム」拒絶査定に対する審判事件［平成　６年　７月　８日出願公開、特開平　６−１８６３１８］について、次のとおり審決する。
【結　論】
　本件審判の請求は、成り立たない。
【理　由】
【１】（手続の経緯・本願発明）
　本願は、平成３年８月２７日の出願であって、その請求項１〜１１に係る発明は、明細書の特許請求の範囲に記載されたとおりのものと認められるところ、その請求項１には次のとおりに記載されている（以下、請求項１に係る発明を「本願発明」と言う。）。
「【請求項１】
　遠隔位置における人の地理的座標を標定するセルラー位置標定システムであって、
可搬型ハンドヘルド遠隔装置を含み、前記遠隔装置は、
ハンドヘルドサイズとされた可搬型函体と、
前記函体内に搭載され、地球回りの軌道にある衛星からの航行信号を受信する受信機手段と、
前記函体内に搭載され、前記衛星航行信号を復調する信号処理手段と、
前記函体内に搭載され、擬似ランダムコード発生手段と、
前記函体内に搭載され、前記信号処理手段に接続されたタイミング手段と、
前記函体内に搭載され、前記航行信号と前記擬似ランダムコード信号の時間差を比較して情報信号を発生する手段と、
前記函体内に搭載され、前記情報信号をセルラー電話信号へ変換する手段と、
前記函体内に搭載され、前記情報信号を一時的に記憶する手段と、
前記函体内に搭載される、セルラー電話信号送信手段と、
を含み、前記セルラー位置標定システムは更に、
前記送信されたセルラー電話信号を受信及び送信するセルラー電話システムと、
前記セルラー電話システムに結合され前記セルラー送信機から受信したセルラー電話信号を処理する基地装置手段と、
を含み、前記基地装置手段は、
前記受信信号を復号して地理的位置標定データを決定する手段と、
前記基地装置に接続され地理的座標情報を表示するディスプレイ手段と、
を含む、セルラー位置標定システム。」。
【２】（引用例）
　これに対し、原審における拒絶理由に引用された本願出願前に頒布された刊行物である欧州特許出願公開第２４２０９９号明細書（以下、「引用例１」という。）は、本願発明と同様、移動体の位置確認を無線通信によって行なわせる移動体位置確認装置に関し、図面と共に以下の記載がある。
「This invention relates to security devices,particularly to a device used to identify the position or location of a movable object,such as an automobile ,appliance,painting,or even a child.
 Major crime problems in the United States include the theft of valuable movable objects,such as automobiles and the like,and missing children. 」（公報２頁4行〜7行）
　上記記載中には、行方不明の子供を位置確認の対象に挙げている旨、記載されている。
「A transmitter will then transmit the location information,via existing systems,such as the cellular telephone system to a central station for processing.」（公報３頁１行〜２行）
 位置情報はセルラー電話システムにより中央ステーションに送られる旨、記載されている。
「Reffering to Figs.1 and 2,the anti-theft and locating system of the present invention is generally illustrated at 10 as comprising a vehicle12,which is linked to a global positioning system 14,a cellular telephone system 16 and an authorization transmitter,hereinafter a personal transmitter,18. As shown,the global positioning system may comprise a plurality of satelites 20,22,24,which provide timing and position data as provided,for example,by the Navstar system.
 The cellular telephone system includes a plurality of cells,such as the cells 26,28,each having transmitting and receiving equipment 30 connected to a mobile switching office 32. The mobile switching office,as is well known,is tied to a telephone exchange 34,which may establish connections between the mobile switching office 32 and a central security office,hereinafter a dispatch office ,36.The system techniques and details of operation of cellular systems are well known in the art and will not be discussed further herein,with exception of reference to function in the operation of the system between the vehicle 12 and the dispatch office 36.」（公報３頁３４行〜４５行）
　位置標定システムはＧＰＳシステム１４，セルラー電話システム１６、送信機１８を含むこと、そして、セルラー電話システムには、指令局（a dispatch office ）３６が接続されていること、が記載されている。
 「The vehicle 12 is shown as comprising all of the elements necessary for the anti-theft and position locating features of the invention. The vehicle 12 is therefore seen as comrising,or more specifically having thereon or attached thereto,a plurality of antennae 38,40,42 and 44,which are respectively connected to a GPS receiver 46,a cellular mobile telephone transceiver 48,and a disarm receiver 50.As shown,the disarm receiver 50 disarms the vehicle portion of the system upon proper operation of the personal transmitter 18 which senses a user code to the disarm receiver by way of an antenna 52.As an alternative,the disarm receiver and the personal transmitter could operate on the basis of the well-known infrared techniques,such as employed in remote control of television sets,video cassette recorders and the like.
 The apparatus in the vehicle is also seen as comprising a central processing unit(CPU)54,a read only memory(ROM)56,a random access memory(RAM)58,a peripheral interface adapter(FIA)60,a further peripheral interface adapter 62,and a modulator-demodulator(MODEM)64,all interconnected by way of a data bus66.The PIA62 is also provided with logic outputs 68 and logic inputs 70 for the purposes set forth below.」（公報３頁４６行〜末行）
 上記記載中には、乗り物にはＧＰＳ受信機４６，セルラー移動電話トランシーバー４８、ＲＡＭ５８、ＭＯＤＥＭ６４などが搭載されている旨、記載されている。
「As discussed above,all of the elements in or at the vehicle may be installed in a single package,which is perhaps located in the trunk of the vehicle with the antennae mounted at a suitable location or locations.」（公報４頁１２行〜１３行）
乗り物に搭載されているすべての構成要素はひとつのパッケージに納められている旨、記載されている。
「The software for implementing the system and the conversion of the codes to local map coordinates,including city street address and the like may be provided by ・・・・・.The data processing using this software is preferably done at the dispatch station,although it can be done at the vehicle if so desired.」（公報７頁２４行〜２７行）
　コードを地図座標に変換するソフトは指令局で実行される旨、記載されている。
　以上の記載を対応する図面と共に参酌し、かつ、引用例１のものにおいて、
・位置を標定する対象として子供が挙げられており、かつ、位置標定装置はひとつのパッケージに納められていることから、該パッケージは可搬型移動局であると言えること、
・ＧＰＳ受信機４６が受信手段の他に衛星航行信号を復調する手段をも備えていることは当然であること、
・コードを地図座標に変換するソフトは指令局で実行されることから、指令局はセルラー電話システムを介して送られてきたコード信号を復号して地理的位置標定データを決定する手段を有すると言えること、
・乗り物には、ＧＰＳ受信機４６、セルラー移動電話トランシーバー４８、ＲＡＭ５８、ＭＯＤＥＭ６４が搭載される一方、乗り物に搭載されるすべての構成要素はひとつのパッケージに納められることから、それらＧＰＳ受信機４６、セルラー移動電話トランシーバー４８、ＲＡＭ５８、ＭＯＤＥＭ６４はひとつのパッケージに納められていると解されること、また、そうでないとしても、装置の構成要素をまとめてひとつの函体に収納することは常套手段であること、
を勘案すると、結局、引用例１には次の発明が記載されていることになる。
（引用例１に記載された発明）
遠隔位置における子供の地理的座標を標定するセルラー位置標定システムであって、
可搬型移動局を含み、前記移動局は、
可搬型パッケージと、
前記パッケージ内に搭載され、地球回りの軌道にある衛星からの航行信号を受信及び復調するＧＰＳ受信機４６と、
前記パッケージ内に搭載され、位置情報信号をセルラー電話信号に変換するモデム６４と、
前記パッケージ内に搭載され、前記位置情報信号を一時的に記憶するＲＡＭ５８と、
前記パッケージ内に搭載される、セルラー移動電話トランシーバー４８と、
を含み、
前記セルラー位置標定システムは更に、
前記送信されたセルラー電話信号を受信及び送信するセルラー電話システム１６と、
前記セルラー電話システム１６に結合され前記セルラー移動電話トランシーバー４８から受信したセルラー電話信号を処理する指令局３６と、
前記指令局３６は、
前記受信したセルラー電話信号を復号して地理的位置標定データを決定する手段と、
を含む、セルラー位置標定システム（以下、「引用例１に記載された発明」という。）。
【３】（対比）  
　本願発明と引用例１に記載された発明とを対比する。
　引用例１に記載された発明における、
「子供」、「可搬型移動局」、「可搬型パッケージ」、「ＧＰＳ受信機４６」、「位置情報信号」、「モデム６４」、「一時的に記憶するＲＡＭ５８」、「セルラー移動電話トランシーバー４８」、「セルラー電話システム１６」、「指令局３６」、
は、それぞれ、本願発明の、
「人」、「可搬型遠隔装置」、「可搬型函体」、「受信機手段及び衛星航行信号を復調する信号処理手段」、「情報信号」、「情報信号をセルラー電話信号へ変換する手段」、「一時的に記憶する手段」、「セルラー電話信号送信手段」、「セルラー電話システム」、「基地装置手段」、
であるから、両者は、
　遠隔位置における人の地理的座標を標定するセルラー位置標定システムであって、
可搬型遠隔装置を含み、前記遠隔装置は、
可搬型函体と、
前記函体内に搭載され、地球回りの軌道にある衛星からの航行信号を受信する受信機手段及び衛星航行信号を復調する信号処理手段と、
前記函体内に搭載され、前記情報信号をセルラー電話信号へ変換する手段と、
前記函体内に搭載され、前記情報信号を一時的に記憶する手段と、
前記函体内に搭載される、セルラー電話信号送信手段と、
を含み、
前記セルラー位置標定システムは更に、
前記送信されたセルラー電話信号を受信及び送信するセルラー電話システムと、
前記セルラー電話システムに結合され前記セルラー電話信号送信手段から受信したセルラー電話信号を処理する基地装置手段と、
前記基地装置手段は、
前記受信したセルラー電話信号を復号して地理的位置標定データを決定する手段と、
を含む、セルラー位置標定システム、
で一致し、次の点で相違する。
１．本願発明では、可搬型函体はハンドヘルドサイズであるに対し、引用例１に記載された発明では、この点について明記されていない点。
２．本願発明では、函体内に、擬似ランダムコード発生手段、信号処理手段に接続されたタイミング手段、航行信号と前記擬似ランダムコード信号の時間差を比較して情報信号を発生する手段が搭載されているに対し、引用例１に記載された発明では、この点について明記されていない点。
３．本願発明では基地装置に接続され地理的座標情報を表示するディスプレイ手段を備えているに対し、引用例１に記載された発明では、この点について明記されていない点。
【４】（当審の判断）
　上記相違点１〜３について検討する。
相違点１．について、
　携帯型ＧＰＳ受信機は本願出願前、周知であってみれば（例えば、日本測地学会編著「新訂版ＧＰＳ−人工衛星による精密測位システム−」１９８９年１１月１５日社団法人　日本測量協会発行　第５頁　写真５「携帯型ＧＰＳ受信機（Rockwell-Collins社）」、また、国際公開第９０/０８３７１号パンフレット参照）、引用例１に記載された発明において、ＧＰＳ受信機が搭載された可搬型函体を、子供が携帯するのに便利なようにハンドヘルドサイズとすることは、当業者が容易に想到し得るところと認められる。
相違点２．について、
　ＧＰＳ受信システムが、擬似ランダムコード発生手段、タイミング手段、航行信号と前記擬似ランダムコード信号の時間差を比較して情報信号を発生する手段を備えて測位信号を出力していることはよく知られており（例えば、特開昭６１−１９８０７６号公報、米国特許第４８００５７７号明細書参照）、引用例１に記載された発明におけるＧＰＳ受信機を、それら周知の手段を備えた構成とすることは、当業者が容易になし得るところと認められる。
相違点３．について、
　移動体の位置情報を固定局側で認識するシステムにおいて、固定局側にディスプレイを備えたものは周知であり（例えば特開平２−１８９４８８号公報参照）、また、引用例１に記載された発明において、指令局が入手した地図座標から現在位置を確認するためにディスプレイ装置を用いることは、ごく普通の発想に過ぎない故、引用例１に記載された発明において、指令局にディスプレイ手段を備えることは、当業者が容易になし得るところと認められる。
【５】（むすび）
  したがって本願の請求項１に係る発明は、上記引用例１に記載された発明並びに周知事項に基いて当業者が容易に発明をすることが出来たものと認められる故、特許法第２９条第２項の規定により特許を受けることが出来ない。
　上記のとおり、本願の請求項１に係る発明が特許を受けることができないものであるから、本願のその余の請求項に係る発明について審究するまでもなく、本願は拒絶すべきものである。
　よって結論のとおり審決する。